(57)【要約】【課題】他の電子機器との間で送電または受電が可能な電子機器において、他の電子機器に送電するか、他の電子機器からの電力を受電するかをユーザに便利なように設定することができる電子機器、電力伝送方法、および電力伝送システムを提供する。【解決手段】モード設定部４ｂは、スマートフォンＡとスマートフォンＢの使用状態に基づいて、スマートフォンＢのモードを送電モードまたは受電モードに設定する。電力制御部３ｂは、送電モードに設定された場合に、送電と受信のうち送電を行ない、受電モードに設定された場合に、送電と受電のうち受電を行なう。【選択図】図１
2015186223.tif 000002
【特許請求の範囲】
【請求項１】
バッテリと、
前記バッテリの電力の他の電子機器へ送電が可能な送電部と、
前記他の電子機器から受電が可能で、受電した電力を前記バッテリに蓄積する受電部と、
前記電子機器と前記他の電子機器の使用状態に基づいて、前記電子機器のモードを送電モードまたは受電モードに設定する設定部と、
前記送電モードに設定された場合に、前記送電と前記受電のうち前記送電を行ない、前記受電モードに設定された場合に、前記送電と前記受電のうち前記受電を行なう制御部とを備えた、電子機器。
【請求項２】
前記設定部は、前記他の電子機器へ前記電子機器の使用状態に関する情報を送信し、前記他の電子機器から前記電子機器のモードの設定指示を受信し、前記電子機器を前記受信したモードに設定する、請求項１記載の電子機器。
【請求項３】
前記設定部は、前記他の電子機器から前記他の電子機器の使用状態に関する情報を受信し、前記電子機器の使用状態と前記他の電子機器の使用状態に基づいて、前記電子機器のモードおよび前記他の電子機器のモードを決定する、請求項１記載の電子機器。
【請求項４】
前記設定部は、前記他の電子機器の電池残量よりも前記電子機器の電池残量が少ない場合に、前記電子機器のモードを前記送電モードに設定し、前記他の電子機器の電池残量よりも前記電子機器の電池残量が多い場合に、前記電子機器のモードを前記受電モードに設定する、請求項１記載の電子機器。
【請求項５】
前記設定部は、前記他の電子機器の使用頻度よりも前記電子機器の使用頻度が少ない場合に、前記電子機器のモードを前記送電モードに設定し、前記他の電子機器の使用頻度よりも前記電子機器の使用頻度が多い場合に、前記電子機器のモードを前記受電モードに設定する、請求項１記載の電子機器。
【請求項６】
前記設定部は、前記他の電子機器が有する機能よりも前記電子機器の機能が低い場合に、前記電子機器のモードを前記送電モードに設定し、前記他の電子機器が有する機能よりも前記電子機器の機能が高い場合に、前記電子機器のモードを前記受電モードに設定する、請求項１記載の電子機器。
【請求項７】
前記設定部は、前記他の電子機器の通信品質よりも前記電子機器の通信品質が低い場合に、前記電子機器のモードを前記送電モードに設定し、前記他の電子機器の通信品質よりも前記電子機器の通信品質が高い場合に、前記電子機器のモードを前記受電モードに設定する、請求項１記載の電子機器。
【請求項８】
前記設定部は、前記他の電子機器が圏外で、かつ前記電子機器が圏内の場合に、前記電子機器のモードを前記受電モードに設定し、前記他の電子機器が圏内で、かつ前記電子機器が圏外の場合に、前記電子機器のモードを前記送電モードに設定する、請求項１記載の電子機器。
【請求項９】
電池残量、使用頻度、機能、通信品質のいずれを優先するかのユーザによる選択を受け付ける入力部を備え、
前記入力部を通じて前記電池残量を優先することが選択された場合に、前記設定部は、前記他の電子機器の電池残量よりも前記電子機器の電池残量が少ない場合に、前記電子機器のモードを前記送電モードに設定し、前記他の電子機器の電池残量よりも前記電子機器の電池残量が多い場合に、前記電子機器のモードを前記受電モードに設定し、
前記入力部を通じて前記使用頻度を優先することが選択された場合に、前記設定部は、前記他の電子機器の使用頻度よりも前記電子機器の使用頻度が少ない場合に、前記電子機器のモードを前記送電モードに設定し、前記他の電子機器の使用頻度よりも前記電子機器の使用頻度が多い場合に、前記電子機器のモードを前記受電モードに設定し、
前記入力部を通じて前記機能を優先することが選択された場合に、前記設定部は、前記他の電子機器が有する機能よりも前記電子機器の機能が低い場合に、前記電子機器のモードを前記送電モードに設定し、前記他の電子機器が有する機能よりも前記電子機器の機能が高い場合に、前記電子機器のモードを前記受電モードに設定し、
前記入力部を通じて前記通信品質を優先することが選択された場合に、前記設定部は、前記他の電子機器の通信品質よりも前記電子機器の通信品質が低い場合に、前記電子機器のモードを前記送電モードに設定し、前記他の電子機器の通信品質よりも前記電子機器の通信品質が高い場合に、前記電子機器のモードを前記受電モードに設定する、請求項１記載の電子機器。
【請求項１０】
前記設定部は、前記他の電子機器の電池残量、使用頻度、機能、および通信品質をそれぞれ数値化し、それぞれの数値の重み付け和と、前記電子機器の電池残量、使用頻度、機能、および通信品質をそれぞれ数値化し、それぞれの数値の重み付け和との比較に基づいて、前記電子機器のモードを前記送電モードまたは前記受電モードに設定する、請求項１記載の電子機器。
【請求項１１】
バッテリと、
前記バッテリの電力の他の電子機器へ送電が可能な送電部と、
前記他の電子機器から受電が可能で、受電した電力を前記バッテリに蓄積する受電部と、
ユーザの操作に従って、前記電子機器のモードを送電モードまたは受電モードに設定する設定部と、
前記送電モードに設定された場合に、前記送電と前記受電のうち前記送電を行ない、前記受電モードに設定された場合に、前記送電と前記受電のうち前記受電を行なう制御部とを備えた電子機器。
【請求項１２】
前記電子機器と前記他の電子機器とは、ＵＳＢインタフェースケーブルを通じて接続可能であり、
前記設定部は、前記電子機器または前記他の電子機器から前記ＵＳＢインタフェースケーブルが抜脱され、再び前記電子機器または前記他の電子機器に前記ＵＳＢインタフェースケーブルが装着された場合に、前記電子機器のモードを現在のモードから変化させる、請求項１１記載の電子機器。
【請求項１３】
現在のモードを示すＧＵＩ部品を表示する表示部を備え、
前記設定部は、前記ＧＵＩ部品をスワイプする操作が入力されたときに、前記他の電子機器を前記アイコンで表示されているモードに切替させ、前記電子機器のモードを現在のモードから変化させる、請求項１１記載の電子機器。
【請求項１４】
前記設定部は、前記送電モードに設定されているときに、着信があり、かつユーザによって通話を選択する操作がなされた場合には、前記電子機器のモードを前記受電モードに設定し、前記他の電子機器のモードを前記送電モードに設定する、請求項１１記載の電子機器。
【請求項１５】
前記設定部は、ユーザによる移動による前記使用状態の変化に応じて、前記電子機器のモードを動的に変更する、請求項１記載の電子機器。
【請求項１６】
前記電子機器が前記送電モードに設定された場合に、前記電子機器の電池残量が所定値まで減少したら、前記制御部は、前記送電を停止する、請求項１記載の電子機器。
【請求項１７】
前記制御部は、前記送電モードに設定された場合に、通信機能を制限する、請求項１記載の電子機器。
【請求項１８】
前記制御部は、前記送電モードに設定された場合に、割込みを制限する、請求項１記載の電子機器。
【請求項１９】
前記制御部は、前記送電モードに設定された場合に、常駐のアプリケーションが動作しないように制御する、請求項１記載の電子機器。
【請求項２０】
前記電子機器と前記他の電子機器とは、ＵＳＢインタフェースケーブルを通じて接続される、請求項１記載の電子機器。
【請求項２１】
第１の電子機器と第２の電子機器とからなるシステムの電力伝送方法であって、
前記第１の電子機器および前記第２の電子機器は、それぞれ、
バッテリと、
前記バッテリの電力の他の電子機器へ送電が可能な送電部と、
他の電子機器から受電が可能で、受電した電力を前記バッテリに蓄積する受電部と、
前記他の電子機器から受電が可能で、受電した電力を前記バッテリに蓄積する受電部とを備え、
前記第１の電子機器が、前記第２の電子機器へ前記第１の電子機器の使用状態に関する情報を送信するステップと、
前記第２の電子機器が、前記第１の電子機器の使用状態に関する情報と前記第２の電子機器の使用状態に関する情報とに基づいて、前記第１の電子機器および前記第２の電子機器の一方のモードを送電モードに決定し、前記第１の電子機器および前記第２の電子機器の他方のモードを受信モードに決定するステップと、
前記第２の電子機器が、前記第１の電子機器の決定されたモードに関する情報を送信するステップと、
前記第１の電子機器および前記第２の電子機器が、自機を前記決定されたモードに設定するステップ、
前記第１の電子機器および前記第２の電子機器が、前記送電モードに設定された場合に、前記送電と前記受電のうち前記送電を行ない、前記受電モードに設定された場合に、前記送電と前記受電のうち前記受電を行なうステップとを備えた、電力伝送方法。
【請求項２２】
第１の電子機器と第２の電子機器と第３の電子機器からなる電力伝送システムであって、
前記第１の電子機器は、
バッテリと、
前記バッテリの電力を前記第２の電子機器へ送電が可能な送電部と、
前記第２の電子機器から受電が可能で、受電した電力を前記バッテリに蓄積する受電部とを含み、
前記第２の電子機器は、
バッテリと、
前記バッテリの電力を前記第１の電子機器へ送電が可能な第１の送電部と、
前記第１の電子機器から受電が可能で、受電した電力を前記バッテリに蓄積する第１の受電部と、
前記バッテリの電力を前記第３の電子機器へ送電が可能な第２の送電部と、
前記第３の電子機器から受電が可能で、受電した電力を前記バッテリに蓄積する第２の受電部とを含み、
前記第３の電子機器は、
バッテリと、
前記バッテリの電力を前記第２の電子機器へ送電が可能な送電部と、
前記第２の電子機器から受電が可能で、受電した電力を前記バッテリに蓄積する受電部とを備え、
前記第１の電子機器の電池残量が前記第２の電子機器の電池残量よりも多く、かつ前記第２の電子機器の電池残量が前記第３の電子機器の電池残量よりも多い場合には、前記第３の電子機器から前記第２の電子機器への送電、前記第２の電子機器から前記第１の電子機器への送電が行なわれるように制御し、
前記第１の電子機器の電池残量が前記第２の電子機器の電池残量よりも多く、かつ前記第２の電子機器の電池残量が前記第３の電子機器の電池残量よりも少ない場合には、前記第２の電子機器から前記第３の電子機器への送電、前記第２の電子機器から前記第１の電子機器への送電が行なわれるように制御し、
前記第１の電子機器の電池残量が前記第２の電子機器の電池残量よりも少なく、かつ前記第２の電子機器の電池残量が前記第３の電子機器の電池残量よりも多い場合には、前記第３の電子機器から前記第２の電子機器への送電、前記第１の電子機器から前記第２の電子機器への送電が行なわれるように制御し、
前記第１の電子機器の電池残量が前記第２の電子機器の電池残量よりも少なく、かつ前記第２の電子機器の電池残量が前記第３の電子機器の電池残量よりも少ない場合には、前記第２の電子機器から前記第３の電子機器への送電、前記第１の電子機器から前記第２の電子機器への送電が行なわれるように制御する制御部とを備えた、電力伝送システム。
【発明の詳細な説明】
【技術分野】
【０００１】
本発明は、電子機器、電力伝送方法、および電力伝送システムに関し、特に、複数の携帯端末などの電子機器の間で電力を伝送する技術に関する。
【背景技術】
【０００２】
ＵＳＢ（Universal Serial Bus）ホスト機能を有する電子機器が知られている（たとえば、特許文献１（特開２００６−８５２４８号公報）を参照）。このような電子機器は、他の電子機器に対して電力を供給することができる。ＵＳＢホスト機能を有する２つの電子機器をＵＳＢで接続した場合、ロールスワッピング機能を有していれば、２つの電子機器の送電側と受電側を入れ替えることが可能である。
【先行技術文献】
【特許文献】
【０００３】
【特許文献１】特開２００６−８５２４８号公報
【発明の概要】
【発明が解決しようとする課題】
【０００４】
ところで、２台の電子機器は、いずれも本来の電子機器としての機能を有する。送電側に設定された機器は、本来の電子機器としての機能を実行することができない。２台の電子機器のうちの任意の一方を送電側に設定し、他方を受電側に設定した場合に、ユーザにとって不便なことが生じる場合がある。
【０００５】
それゆえに、本発明の目的は、他の電子機器との間で送電または受電が可能な電子機器において、他の電子機器に送電するか、他の電子機器からの電力を受電するかをユーザに便利なように設定することができる電子機器、電力伝送方法、および電力伝送システムを提供することである。
【課題を解決するための手段】
【０００６】
本発明の電子機器は、バッテリと、バッテリの電力の他の電子機器へ送電が可能な送電部と、他の電子機器から受電が可能で、受電した電力をバッテリに蓄積する受電部と、電子機器と他の電子機器の使用状態に基づいて、電子機器のモードを送電モードまたは受電モードに設定する設定部と、送電モードに設定された場合に、送電と受電のうち送電を行ない、受電モードに設定された場合に、送電と受電のうち受電を行なう制御部とを備える。
【発明の効果】
【０００７】
本発明によれば、他の電子機器との間で送電または受電が可能な電子機器において、他の電子機器に送電するか、他の電子機器からの電力を受電するかをユーザに便利なように設定することができる。
【図面の簡単な説明】
【０００８】
【図１】２つの携帯端末で構成される電力伝送システムを表わす図である。
【図２】第１の実施形態の携帯端末Ａと携帯端末Ｂとの間の電力伝送手順を表わすフローチャートである。
【図３】第１の実施形態におけるモードの決定方法を表わすフローチャートである。
【図４】第２の実施形態におけるモードの決定方法を表わすフローチャートである。
【図５】第３の実施形態におけるモードの決定方法を表わすフローチャートである。
【図６】第４の実施形態におけるモードの決定方法を表わすフローチャートである。
【図７】第５の実施形態におけるモードの決定方法を表わすフローチャートである。
【図８】第６の実施形態におけるモードの決定方法を表わすフローチャートである。
【図９】第７の実施形態におけるモードの決定方法を表わすフローチャートである。
【図１０】第８の実施形態の携帯端末Ａと携帯端末Ｂとの間の電力伝送手順を表わすフローチャートである。
【図１１】第８の実施形態におけるユーザ指示によるモード設定の手順を表わすフローチャートである。
【図１２】第８の実施形態のモード設定の例を説明するための図である。
【図１３】第９の実施形態におけるユーザ指示によるモード設定の手順を表わすフローチャートである。
【図１４】第１０の実施形態におけるユーザ指示によるモード設定の手順を表わすフローチャートである。
【図１５】第１０の実施形態のモード設定の例を説明するための図である。
【図１６】第１１の実施形態によるモード設定の手順を表わすフローチャートである。
【図１７】第１２の実施形態による電力伝送の手順を表わすフローチャートである。
【図１８】３つの携帯端末で構成される電力伝送システムを表わす図である。
【図１９】第１３の実施形態の携帯端末Ａと、携帯端末Ｂと、携帯端末Ｃとの間の電力伝送手順を表わすフローチャートである。
【図２０】第１３の実施形態の電力伝送の流れ、およびモードの決定方法を示すフローチャートである。
【発明を実施するための形態】
【０００９】
以下、本発明の実施の形態について図面を用いて説明する。
［第１の実施形態］
図１は、２つの携帯端末で構成される電力伝送システムを表わす図である。
【００１０】
携帯端末Ａは、アンテナ１ａと、無線通信部２ａと、モード設定部４ａと、電力制御部３ａと、送電部９ａと、受電部８ａと、スイッチ１０ａと、バッテリ３０ａと、ＵＳＢ通信部７ａと、入力部５ａと、表示部６ａとを備える。
【００１１】
無線通信部２ａは、アンテナ１ａを通じて、無線基地局との間で無線通信を行なう。
送電部９ａは、バッテリ３０ａ内の電力をＵＳＢインタフェースケーブル５０ａの電力伝送線Ｌ１を通じて、携帯端末Ｂへ送電する。
【００１２】
受電部８ａは、ＵＳＢインタフェースケーブル５０ａの電力伝送線Ｌ１ａを通じて携帯端末Ｂからの電力を充電し、バッテリ３０ａに蓄積する。
【００１３】
スイッチ１０ａは、ＵＳＢインタフェースケーブル５０ａの電力伝送線Ｌ１ａを、送電部９ａまたは受電部８ａと接続する。
【００１４】
ＵＳＢ通信部７ａは、ＵＳＢインタフェースケーブル５０ａの通信線Ｌ２ａを通じて携帯端末Ｂとの間で使用状態に関する情報などを含む各種の情報の通信を行なう。
【００１５】
入力部５ａは、タッチパネルなどで構成され、ユーザによる入力を受け付ける。
表示部６ａは、液晶ディスプレイで構成される。
【００１６】
モード設定部４ａは、携帯端末Ａと携帯端末Ｂの使用状態に基づいて、携帯端末Ａを送電モードまたは受電モードに設定する。モード設定部４ａは、携帯端末Ｂから携帯端末Ｂの使用状態に関する情報を受信したときには、携帯端末Ａと携帯端末Ｂのモードを決定する。
【００１７】
電力制御部３ａと、設定されたモードが送電モードの場合には、送電部９ａに送電を指示し、送電部９ａと電力伝送線Ｌ１が接続するようにスイッチ１０ａを制御する。
【００１８】
携帯端末Ｂも、携帯端末Ａと同様の構成を備える。
図２は、第１の実施形態の携帯端末Ａと携帯端末Ｂとの間の電力伝送手順を表わすフローチャートである。このフローチャートは、携帯端末Ｂの方で、携帯端末Ａと携帯端末Ｂのモードを決定する場合の処理手順を表わしたものである。
【００１９】
図２を参照して、ステップＳ１０１において、携帯端末ＡのＵＳＢ通信部７ａは、携帯端末Ａの使用状態に関する情報を送信する。
【００２０】
ステップＳ１０２において、携帯端末ＢのＵＳＢ通信部７ｂは、携帯端末Ｂの使用状態に関する情報を受信する。
【００２１】
ステップＳ１０３において、携帯端末Ｂのモード設定部４ｂは、受信した携帯端末Ａの使用状態に関する情報と、図示しないメモリに記憶されている携帯端末Ｂの使用状態に関する情報に基づいて、携帯端末Ａと携帯端末Ｂのうちいずれか一方のモードを送電モードに決定し、他方のモードを受電モードに決定する。
【００２２】
ステップＳ１０４において、携帯端末ＢのＵＳＢ通信部７ｂは、携帯端末Ｂのモードを表わす情報を送信する。
【００２３】
ステップＳ１０５において、携帯端末Ｂのモード設定部４ｂは、携帯端末ＢのモードをステップＳ１０３で決定されたモードに設定する。
【００２４】
ステップＳ１０６において、送電モードに設定されたときには、処理がステップＳ１０７に進み、受電モードに設定されたときには、処理がステップＳ１０８に進む。
【００２５】
ステップＳ１０７において、電力制御部３ｂは、送電と受電のうち送電を行なうように制御する。すなわち、電力制御部３ｂは、スイッチ１０ｂを送電部９ｂと接続させ、送電部９ｂにバッテリ３０ｂに蓄積された電力を出力させる。また、電力制御部３ｂは、無線通信部２ｂによる通信機能を制限し、アラームなどの割込みを制限し、かつ常駐のアプリケーションが動作しないように制御する。
【００２６】
ステップＳ１０８において、電力制御部３ｂは、送電と受電のうち受電を行なうように制御する。すなわち、電力制御部３ｂは、スイッチ１０ｂを受電部８ｂと接続させ、受電部８ｂに受電した電力をバッテリ３０ｂに蓄積させる。
【００２７】
ステップＳ１０９において、携帯端末ＡのＵＳＢ通信部７ａは、携帯端末Ａのモードを表わす情報を受信する。
【００２８】
ステップＳ１１０において、携帯端末Ａのモード設定部４ａは、携帯端末ＡのモードをステップＳ１０９で受信したモードに設定する。
【００２９】
ステップＳ１１１において、送電モードに設定されたときには、処理がステップＳ１１２に進み、受電モードに設定されたときには、処理がステップＳ１１３に進む。
【００３０】
ステップＳ１１２において、電力制御部３ａは、送電と受電のうち送電を行なうように制御する。すなわち、電力制御部３ａは、スイッチ１０ａを送電部９ａと接続させ、送電部９ａにバッテリ３０ａに蓄積された電力を出力させる。また、電力制御部３ａは、無線通信部２ａによる通信機能を制限し、アラームなどの割込みを制限し、かつ常駐のアプリケーションが動作しないように制御する。
【００３１】
ステップＳ１１３において、電力制御部３ａは、送電と受電のうち受電を行なうように制御する。すなわち、電力制御部３ａは、スイッチ１０ａを受電部８ａと接続させ、受電部８ａに受電した電力をバッテリ３０ａに蓄積させる。
【００３２】
（使用状態に関する情報の例）
第１の実施形態では、使用状態に関する情報として、携帯端末Ａ，Ｂのバッテリ残量を用いる。
【００３３】
図３は、第１の実施形態におけるモードの決定方法を表わすフローチャートである。
図３を参照して、ステップＳ２０１において、携帯端末Ａのバッテリ残量が携帯端末Ｂのバッテリ残量よりも多いときには、処理がステップＳ２０２に進む。携帯端末Ｂのバッテリ残量が携帯端末Ａのバッテリ残量よりも多いときには、処理がステップＳ２０４に進む。
【００３４】
ステップＳ２０２において、モード設定部４ｂは、携帯端末Ａのモードを受電モードに決定し、携帯端末Ｂのモードを送電モードに決定する。
【００３５】
ステップＳ２０４において、モード設定部４ｂは、携帯端末Ａのモードを送電モードに決定し、携帯端末Ｂのモードを受電モードに決定する。
【００３６】
以上のように、本実施の形態によれば、２つの携帯端末のうち、バッテリ残量の多い携帯端末がバッテリ残量の少ない携帯端末から電力の供給を受けるので、ユーザは、バッテリ残量の多い携帯端末を長時間使い続けることができる。
【００３７】
なお、本実施の形態では、携帯端末Ａが、携帯端末Ｂへ携帯端末Ａの使用状態に関する情報を送信し、携帯端末Ｂが、携帯端末Ａの使用状態に関する情報と、携帯端末Ｂの使用状態に関する情報に基づいて、携帯端末Ａと携帯端末Ｂのモードを決定したが、これに限定するものではない。これとは逆に、携帯端末Ｂが、携帯端末Ａへ携帯端末Ｂの使用状態に関する情報を送信し、携帯端末Ａが、携帯端末Ａと携帯端末Ｂのモードを決定してもよい。あるいは、携帯端末Ａと携帯端末Ｂが、どちらも相手側に自機の使用状態に関する情報を送信し、自機で自機のモードを決定することとしてもよい。以下の実施形態でも、同様である。
【００３８】
［第２の実施形態］
第２の実施形態では、使用状態に関する情報として、携帯端末Ａ，Ｂの使用頻度を用いる。使用頻度として、たとえば、通話時間、通信時間、アプリケーションの使用時間、単位時間当たりのデータの送信量または受信量、またはユーザが携帯端末を操作した時間などを用いる。
【００３９】
図４は、第２の実施形態におけるモードの決定方法を表わすフローチャートである。
図４を参照して、ステップＳ３０１において、携帯端末Ａの使用頻度が携帯端末Ｂの使用頻度よりも多いときには、処理がステップＳ３０２に進む。携帯端末Ｂの使用頻度が携帯端末Ａの使用頻度よりも多いときには、処理がステップＳ３０４に進む。
【００４０】
ステップＳ３０２において、モード設定部４ｂは、携帯端末Ａのモードを受電モードに決定し、携帯端末Ｂのモードを送電モードに決定する。
【００４１】
ステップＳ３０４において、モード設定部４ｂは、携帯端末Ａのモードを送電モードに決定し、携帯端末Ｂのモードを受電モードに決定する。
【００４２】
以上のように、本実施の形態によれば、２つの携帯端末のうち、使用頻度の多い携帯端末が使用頻度の少ない携帯端末から電力の供給を受けるので、ユーザは、使用頻度の多い携帯端末を長時間使い続けることができる。
【００４３】
［第３の実施形態］
第３の実施形態では、使用状態に関する情報として、携帯端末Ａ，Ｂが有する機能を用いる。機能として、携帯端末の種類、または携帯端末を動作させるＯＳ（Operating System）などを用いる。たとえば、携帯端末Ａ，ＢのＯＳのバージョンが相違する場合に、ＯＳのバージョンが新しい携帯端末の方を高機能を有していると定めることができる。携帯端末Ａ，Ｂのいずれかがスマートフォンで、他方がフィーチャーホンの場合に、スマートフォンの方を高機能を有すると定めることができる。
【００４４】
図５は、第３の実施形態におけるモードの決定方法を表わすフローチャートである。
図５を参照して、ステップＳ４０１において、携帯端末Ａが有する機能が携帯端末Ｂが有する機能よりも高いときには、処理がステップＳ４０２に進む。携帯端末Ｂが有する機能が携帯端末Ａが有する機能よりも高いときには、処理がステップＳ４０４に進む。
【００４５】
ステップＳ４０２において、モード設定部４ｂは、携帯端末Ａのモードを受電モードに決定し、携帯端末Ｂのモードを送電モードに決定する。
【００４６】
ステップＳ４０４において、モード設定部４ｂは、携帯端末Ａのモードを送電モードに決定し、携帯端末Ｂのモードを受電モードに決定する。
【００４７】
以上のように、本実施の形態によれば、２つの携帯端末のうち、高機能の携帯端末が低機能の携帯端末から電力の供給を受けるので、ユーザは、高機能の携帯端末を長時間使い続けることができる。
【００４８】
［第４の実施形態］
第４の実施形態では、使用状態に関する情報として、携帯端末Ａ，Ｂの通信品質を用いる。通信品質として、たとえば、受信した電波の強度、またはフレームエラーレートなどを用いる。
【００４９】
図６は、第４の実施形態におけるモードの決定方法を表わすフローチャートである。
図６を参照して、ステップＳ５０１において、携帯端末Ａの通信品質が携帯端末Ｂの通信品質よりも高いときには、処理がステップＳ５０２に進む。携帯端末Ｂの通信品質が携帯端末Ａの通信品質よりも高いときには、処理がステップＳ５０４に進む。
【００５０】
ステップＳ５０２において、モード設定部４ｂは、携帯端末Ａのモードを受電モードに決定し、携帯端末Ｂのモードを送電モードに決定する。
【００５１】
ステップＳ５０４において、モード設定部４ｂは、携帯端末Ａのモードを送電モードに決定し、携帯端末Ｂのモードを受電モードに決定する。
【００５２】
以上のように、本実施の形態によれば、２つの携帯端末のうち、通信品質の高い携帯端末が通信品質の低い携帯端末から電力の供給を受けるので、ユーザは、通信品質の携帯端末を長時間使い続けることができる。
【００５３】
［第５の実施形態］
第５の実施形態では、使用状態に関する情報として、携帯端末Ａ，Ｂが圏内にある状態か、または圏外にある状態かを用いる。
【００５４】
図７は、第５の実施形態におけるモードの決定方法を表わすフローチャートである。
図７を参照して、ステップＳ６０１において、携帯端末Ａが圏内にある状態であり、かつ携帯端末Ｂが圏外にある状態のときには、処理がステップＳ６０２に進む。携帯端末Ｂが圏内にある状態であり、かつ携帯端末Ａが圏外にある状態のときには、処理がステップＳ６０４に進む。
【００５５】
ステップＳ６０２において、モード設定部４ｂは、携帯端末Ａのモードを受電モードに決定し、携帯端末Ｂのモードを送電モードに決定する。
【００５６】
ステップＳ６０４において、モード設定部４ｂは、携帯端末Ａのモードを送電モードに決定し、携帯端末Ｂのモードを受電モードに決定する。
【００５７】
以上のように、本実施の形態によれば、２つの携帯端末のうち、圏内にある携帯端末が圏外にある携帯端末から電力の供給を受けるので、ユーザは、圏内にある携帯端末を長時間使い続けることができる。
【００５８】
［第６の実施形態］
第６の実施形態では、使用状態に関する情報として、ユーザが、バッテリ残量と使用頻度と機能と通信品質の中から優先すべきものとして定めたものを用いる。
【００５９】
図８は、第６の実施形態におけるモードの決定方法を表わすフローチャートである。
図８を参照して、ステップＳ７０１において、モード設定部４ｂは、予めユーザによって入力部５ｂを通じて設定されて図示しないメモリに記憶されている優先度情報を読み出す。
【００６０】
優先度情報にバッテリ残量を優先することが定められている場合には（ステップＳ７０２でＹＥＳ）、モード設定部４ｂは、図３のステップＳ２０１〜Ｓ２０４の処理を実行する。
【００６１】
優先度情報に使用頻度を優先することが定められている場合には（ステップＳ７０３でＹＥＳ）、モード設定部４ｂは、図４のステップＳ３０１〜Ｓ３０４の処理を実行する。
【００６２】
優先度情報に機能を優先することが定められている場合には（ステップＳ７０４でＹＥＳ）、モード設定部４ｂは、図５のステップＳ４０１〜Ｓ４０４の処理を実行する。
【００６３】
優先度情報に通信品質を優先することが定められている場合には（ステップＳ７０５でＹＥＳ）、モード設定部４ｂは、図６のステップＳ５０１〜Ｓ５０４の処理を実行する。
【００６４】
以上のように、本実施の形態によれば、バッテリ残量、使用頻度、機能および通信品質のうちのユーザによって選択されたものに基づいて、２つの携帯端末のうちのいずれかを受電モードに設定し、他方を送電モードに設定することができる。
【００６５】
［第７の実施形態］
第７の実施形態では、使用状態に関する情報として、バッテリ残量と使用頻度と機能と通信品質のすべてを総合して用いる。
【００６６】
図９は、第７の実施形態におけるモードの決定方法を表わすフローチャートである。
図９を参照して、ステップＳ８０１において、モード設定部４ｂは、携帯端末Ａのバッテリ残量を０〜１０の数値Ａ１に変換する。モード設定部４ｂは、携帯端末Ｂのバッテリ残量を０〜１０の数値Ｂ１に変換する。ただし、モード設定部４ｂは、携帯端末Ａ，Ｂのバッテリ残量が大きいほど、数値Ａ１，Ｂ１が大きくなるように変換する。
【００６７】
ステップＳ８０２において、モード設定部４ｂは、携帯端末Ａの使用頻度を０〜１０の数値Ａ２に変換する。モード設定部４ｂは、携帯端末Ｂの使用頻度を０〜１０の数値Ｂ２に変換する。ただし、モード設定部４ｂは、携帯端末Ａ，Ｂの使用頻度が多いほど、数値Ａ２，Ｂ２が大きくなるように変換する。
【００６８】
ステップＳ８０３において、モード設定部４ｂは、携帯端末Ａの有する機能を０〜１０の数値Ａ３に変換する。モード設定部４ｂは、携帯端末Ｂの有する機能を０〜１０の数値Ｂ３に変換する。ただし、モード設定部４ｂは、携帯端末Ａ，Ｂの機能が高いほど、数値Ａ３，Ｂ３が大きくなるように変換する。
【００６９】
ステップＳ８０４において、モード設定部４ｂは、携帯端末Ａの通信品質を０〜１０の数値Ａ４に変換する。モード設定部４ｂは、携帯端末Ｂの通信品質を０〜１０の数値Ｂ４に変換する。ただし、モード設定部４ｂは、携帯端末Ａ，Ｂの通信品質が高いほど、数値Ａ４，Ｂ４が大きくなるように変換する。
【００７０】
ステップＳ８０５において、モード設定部４ｂは、ステップＳ８０１〜Ｓ８０５で求めた数値Ａ１，Ａ２，Ａ３，Ａ４の重み付け和ＡＴと、Ｂ１，Ｂ２，Ｂ３，Ｂ４の重み付け和ＢＴを算出する。ここで、Ａ１，Ｂ１の重みをｗ１、Ａ２，Ｂ２の重みをｗ２、Ａ３，Ｂ３の重みをｗ３，Ａ４，Ｂ４の重みをｗ４とする。
【００７１】
ステップＳ８０６において、ＡＴがＢＴよりも大きい場合には、処理がステップＳ８０７に進み、ＢＴがＡＴよりも大きい場合には、処理がステップＳ８０９に進む。
【００７２】
ステップＳ８０７において、モード設定部４ｂは、携帯端末Ａのモードを受電モードに決定し、携帯端末Ｂのモードを送電モードに決定する。
【００７３】
ステップＳ８０８において、モード設定部４ｂは、携帯端末Ａのモードを送電モードに決定し、携帯端末Ｂのモードを受電モードに決定する。
【００７４】
［第８の実施形態］
第１〜第７の実施形態では、２つの携帯端末の間で、使用状態に関する情報を交換することによって、２つの携帯端末のモードが設定された。これに対して、本実施の形態では、ユーザによる指示に従って、２つの携帯端末のモードを設定する。
【００７５】
図１０は、第８の実施形態の携帯端末Ａと携帯端末Ｂとの間の電力伝送手順を表わすフローチャートである。
【００７６】
図１０を参照して、ステップＳ１２０１において、携帯端末Ａの入力部５ａが、ユーザから、携帯端末Ａと携帯端末Ｂのモードを設定する指示を受けた場合には、処理がステップＳ１２０２に進む。
【００７７】
ステップＳ１２０２において、ＵＳＢ通信部７ａは、携帯端末Ｂのモードを表わす情報を送信する。
【００７８】
ステップＳ１２０３において、携帯端末ＢのＵＳＢ通信部７ｂは、携帯端末Ｂのモードを表わす情報を受信する。
【００７９】
ステップＳ１２０４において、携帯端末Ａのモード設定部４ａは、携帯端末ＡのモードをステップＳ１２０１でユーザから指示されたモードに設定する。
【００８０】
ステップＳ１２０５において、送電モードに設定されたときには、処理がステップＳ１２０６に進み、受電モードに設定されたときには、処理がステップＳ１２０７に進む。
【００８１】
ステップＳ１２０６において、電力制御部３ａは、送電と受電のうち送電を行なうように制御する。すなわち、電力制御部３ａは、スイッチ１０ａを送電部９ａと接続させ、送電部９ａにバッテリ３０ａに蓄積された電力を出力させる。また、電力制御部３ａは、無線通信部２ａによる通信機能を制限し、アラームなどの割込みを制限し、かつ常駐のアプリケーションが動作しないように制御する。
【００８２】
ステップＳ１２０７において、電力制御部３ａは、送電と受電のうち受電を行なうように制御する。すなわち、電力制御部３ａは、スイッチ１０ａを受電部８ａと接続させ、受電部８ａに受電した電力をバッテリ３０ａに蓄積させる。
【００８３】
ステップＳ１２０８において、携帯端末Ｂのモード設定部４ｂは、携帯端末ＢのモードをステップＳ１２０３で受信したモードに設定する。
【００８４】
ステップＳ１２０９において、送電モードに設定されたときには、処理がステップＳ１２１０に進み、受電モードに設定されたときには、処理がステップＳ１２１１に進む。
【００８５】
ステップＳ１２１０において、電力制御部３ｂは、送電と受電のうち送電を行なうように制御する。すなわち、電力制御部３ｂは、スイッチ１０ｂを送電部９ｂと接続させ、送電部９ｂにバッテリ３０ｂに蓄積された電力を出力させる。また、電力制御部３ｂは、無線通信部２ｂによる通信機能を制限し、アラームなどの割込みを制限し、かつ常駐のアプリケーションが動作しないように制御する。
【００８６】
ステップＳ１２１１において、電力制御部３ｂは、送電と受電のうち受電を行なうように制御する。すなわち、電力制御部３ｂは、スイッチ１０ｂを受電部８ｂと接続させ、受電部８ｂに受電した電力をバッテリ３０ｂに蓄積させる。
【００８７】
（ユーザによる設定の例）
第８の実施形態では、ユーザによるモードの設定として、携帯端末Ａのモードが送電モードに設定されているときに、着信があり、ユーザが通話を選択した場合には、その携帯端末Ａのモードを受電モードに変更し、他方の携帯端末Ｂのモードを送電モードに変更する。これは、ユーザが、携帯端末Ａを使用することを選択したため、携帯端末Ａのバッテリの残量を増加させる必要があるからである。
【００８８】
図１１は、第８の実施形態におけるユーザ指示によるモード設定の手順を表わすフローチャートである。図１２は、第８の実施形態のモード設定の例を説明するための図である。ここでは、受電モードに設定された携帯端末は、通話機能が制限されておらず、ユーザ入力による割り込みも制限されていないものとする。
【００８９】
図１１および図１２を参照して、ステップＳ１００１において、自機の携帯端末Ａが現在、送電モードに設定されている場合には、処理がステップＳ１００２に進む。図１２（ａ）は、携帯端末Ａのモードが送電モードに設定され、携帯端末Ｂのモードが受電モードに設定され、携帯端末Ａから携帯端末Ｂへ電力が伝送されている様子を表わす図である。
【００９０】
ステップＳ１００２において、自機に着信があった場合には、処理がステップＳ１００３に進む。
【００９１】
ステップＳ１００３において、ユーザが、入力部５ａであるタッチパネル上で、通話アイコンをタッチする操作をしたときには、処理がステップＳ１００４に進む。図１２（ｂ）は、携帯端末Ａの通話アイコン２０をタッチした様子を表わす図である。
【００９２】
ステップＳ１００４において、モード設定部４ａは、自機の携帯端末Ａを受電モードに設定し、他方の携帯端末Ｂを送電モードに設定する。図１２（ｃ）は、携帯端末Ａのモードが送電モードに変更され、携帯端末Ｂのモードが送電モードに設定され、携帯端末Ｂから携帯端末Ａへ電力が伝送されている様子を表わす図である。
【００９３】
以上のように、本実施の形態によれば、送電モードに設定されている携帯端末に着信があり、ユーザが通話を選択した場合に、その携帯端末のモードを受電モードに切り替え、他方を送電モードに切り替えることによって、着信のあった携帯端末の電力が不足して通話できない状態を防止できる。
【００９４】
なお、本実施の形態では、携帯端末Ａにおいてユーザがモードを設定する指示を入力したが、これに限定するものではなく、携帯端末Ｂにおいてユーザがモードを設定する指示を入力するものとしてもよい。以下の実施形態でも同様である。
【００９５】
［第９の実施形態］
第９の実施形態では、ユーザによるモードの設定として、ユーザがＵＳＢインタフェースケーブル５０ａの抜き差しを行なった場合に、携帯端末Ａのモードと携帯端末Ｂのモードを入れ替える。
【００９６】
図１３は、第９の実施形態におけるユーザ指示によるモード設定の手順を表わすフローチャートである。ここでは、受電モードに設定された携帯端末は、ＵＳＢ接続／非接続を通知する割り込み機能が制限されていないものとする。
【００９７】
図１３を参照して、ステップＳ９０１において、ユーザが、携帯端末Ａおよび携帯端末Ｂの一方または両方からＵＳＢインタフェースケーブル５０ａを抜脱し、再び装着させたときには、処理がステップＳ９０２に進む。
【００９８】
ステップＳ９０２において、現在、自機である携帯端末Ａが受電モードに設定され、他方の携帯端末Ｂが送電モードに設定されている場合には、処理がステップＳ９０３に進む。一方、現在、自機である携帯端末Ａが送電モードに設定され、他方の携帯端末Ｂが受電モードに設定されている場合には、処理がステップＳ９０４に進む。
【００９９】
ステップＳ９０３において、モード設定部４ａは、自機の携帯端末Ａを送電モードに設定し、他方の携帯端末Ｂを受電モードに設定する。
【０１００】
ステップＳ９０４において、モード設定部４ａは、自機の携帯端末Ａを受電モードに設定し、他方の携帯端末Ｂを送電モードに設定する。
【０１０１】
以上のように、本実施の形態によれば、ユーザがＵＳＢインタフェースケーブルを抜き差しすることによって、２つの携帯端末のモードを入れ替えることができる。
【０１０２】
［第１０の実施形態］
第１０の実施形態では、ユーザによるモードの設定として、携帯端末Ａのモードが送電モードに設定されているときに、送電モードアイコンを表示し、この送電モードアイコンをスワイプする操作をしたときに、携帯端末Ａのモードを受電モードに変更し、他方の携帯端末Ｂのモードを送電モードに変更する。
【０１０３】
図１４は、第１０の実施形態におけるユーザ指示によるモード設定の手順を表わすフローチャートである。図１５は、第１０の実施形態のモード設定の例を説明するための図である。ここでは、受電モードに設定された携帯端末は、ユーザ入力による割り込みが制限されていないものとする。
【０１０４】
図１４および図１５を参照して、ステップＳ１５０１において、自機の携帯端末Ａが現在、送電モードに設定されている場合には、処理がステップＳ１５０２に進む。
【０１０５】
ステップＳ１５０２において、モード設定部４ａは、送電モードアイコンを表示部６ａに表示する。図１５（ａ）は、携帯端末Ａのモードが送電モードに設定され、携帯端末Ｂのモードが受電モードに設定され、携帯端末Ａの表示部６ａに送電モードアイコン５２が表示されている様子を表わす図である。
【０１０６】
ステップＳ１５０３において、ユーザが、入力部５ａであるタッチパネル上で、送電モードアイコンをスワイプする操作をしたときには、処理がステップＳ１５０４に進む。図１５（ｂ）は、携帯端末Ａで送電モードアイコン５２をスワイプした様子を表わす図である。
【０１０７】
ステップＳ１５０４において、モード設定部４ａは、自機の携帯端末Ａを受電モードに設定し、他方の携帯端末Ｂを送電モードに設定する。図１５（ｃ）は、携帯端末Ａのモードが送電モードに変更され、携帯端末Ｂのモードが送電モードに設定され、携帯端末Ｂから携帯端末Ａへ電力が伝送されている様子を表わす図である。
【０１０８】
以上のように、本実施の形態によれば、送電モードに設定されている携帯端末の表示部に表示されている送電モードアイコンをユーザがスワイプする操作した場合に、その携帯端末のモードを受電モードに切り替え、他方を送電モードに切り替えることによって、簡単な操作で、２つの携帯端末のモードを入れ替えることができる。
【０１０９】
なお、本実施の形態では、受電モードに設定されている携帯端末の表示部に受電モードアイコンを表示し、ユーザが受電モードアイコンをスワイプする操作をした場合に、その携帯端末のモードを送電モードに切り替え、他方を受電モードに切り替えることとしてもよい。
【０１１０】
［第１１の実施形態］
本実施の形態では、ユーザの移動に伴う使用状態（通信品質）の変化に応じて、設定モードを動的に変更する。
【０１１１】
図１６は、第１１の実施形態によるモード設定の手順を表わすフローチャートである。
ステップＳ２１０１において、モード設定部４ａ，４ｂは、携帯端末Ａの通信品質と携帯端末Ｂの通信品質に基づいて、携帯端末Ａと携帯端末Ｂのモードを設定し、電力制御部３ａ，３ｂは、設定されたモードで電力伝送を行なう。
【０１１２】
ステップＳ２１０２において、加速度センサなどによっていずれかの携帯端末が所定距離だけ移動したことが検出された場合に、ステップＳ２１０３に進む。
【０１１３】
ステップＳ２１０３において、再度、モード設定部４ａ，４ｂは、携帯端末Ａの通信品質と携帯端末Ｂの通信品質に基づいて、携帯端末Ａと携帯端末Ｂのモードを設定し、電力制御部３ａ，３ｂは、設定されたモードで電力伝送を行なう。
【０１１４】
これによって、たとえば、携帯端末Ａと携帯端末Ｂが存在するエリアにおいて、携帯端末Ａの通信品質が携帯端末Ｂの通信品質よりも低い場合に、携帯端末Ａが送電モードに設定され、携帯端末Ｂが受電モードに設定される。その後、携帯端末Ａと携帯端末Ｂが移動することによって、移動後の携帯端末Ａと携帯端末Ｂが存在するエリアにおいて、携帯端末Ａの通信品質が携帯端末Ｂの通信品質よりも高い場合に、携帯端末Ａが受電モードに設定され、携帯端末Ｂが送電モードに設定される。これによって、ユーザは通信品質の高い携帯端末を用いて、通信を行なうことができる。
【０１１５】
［第１２の実施形態］
本実施の形態では、モード設定後の電力伝送の終了タイミングに関する。
【０１１６】
図１７は、第１２の実施形態による電力伝送の手順を表わすフローチャートである。
図１７を参照して、ステップＳ２００１において、携帯端末Ａと携帯端末Ｂのうちの送電モードに設定された携帯端末から受電モードに設定された携帯端末へ電力伝送が開始される。
【０１１７】
ステップＳ２００２において、送電モードに設定された携帯端末のバッテリ残量が所定値ＴＨ以下となったときには、処理がステップＳ２００３に進む。
【０１１８】
ステップＳ２００３において、送電モードに設定された携帯端末のモード設定部４ａ（または４ｂ）は、送電モードの設定を解除し、電力制御部３ａ（または３ｂ）は、送電部９ａ（または９ｂ）による電力の伝送を終了させる。
【０１１９】
以上のように、本実施の形態では、送電モードに設定された携帯端末のバッテリ残量が所定値まで減少したら送電モードの設定を解除し、送電を停止するので、送電モードに設定された携帯端末でも必要に応じて、通話、通信、またはアプリケーションの実行などをすることができる。
【０１２０】
［第１３の実施形態］
図１８は、３つの携帯端末で構成される電力伝送システムを表わす図である。
【０１２１】
この電力伝送システムが、図１の電力伝送システムと相違する点は、携帯端末Ｃが追加されたこと、および携帯端末Ｂに携帯端末Ｃとの接続のための構成が追加された点である。携帯端末Ｃの構成は、携帯端末Ｂと同様である。
【０１２２】
携帯端末Ａと携帯端末ＢとがＵＳＢインタフェースケーブル５０ａを通じて接続され、携帯端末Ｂと携帯端末ＣとがＵＳＢインタフェースケーブル５０ｂを通じて接続される。
【０１２３】
携帯端末Ｂは、図１で示した構成に加えて、送電部１０９ｂと、受電部１０８ｂと、ＵＳＢ通信部１０７ｂと、スイッチ１１０ｂとを備える。
【０１２４】
送電部１０９ｂは、バッテリ３０ｂ内の電力をＵＳＢインタフェースケーブル５０ｂの電力伝送線Ｌ１ｂを通じて、携帯端末Ｃへ送電する。
【０１２５】
受電部１０８ｂは、ＵＳＢインタフェースケーブル５０ｂの電力伝送線Ｌ１ｂを通じて携帯端末Ｃからの電力を充電し、バッテリ３０ｂに蓄積する。
【０１２６】
スイッチ１１０ｂは、ＵＳＢインタフェースケーブル５０ｂの電力伝送線Ｌ１ｂを、送電部１０９ｂまたは受電部１０８ｂと接続する。
【０１２７】
ＵＳＢ通信部１０７ｂは、ＵＳＢインタフェースケーブル５０ｂの通信線Ｌ２ｂを通じて携帯端末Ｃとの間で使用状態に関する情報などを含む各種の情報の通信を行なう。
【０１２８】
図１９は、第１３の実施形態の携帯端末Ａと、携帯端末Ｂと、携帯端末Ｃとの間の電力伝送手順を表わすフローチャートである。
【０１２９】
図１９を参照して、ステップＳ１６０１において、携帯端末Ａのモード設定部４ａは、ＵＳＢ通信部７ａを通じて、携帯端末Ａのバッテリ残量に関する情報を送信する。
【０１３０】
ステップＳ１６０２において、携帯端末ＢのＵＳＢ通信部７ｂは、携帯端末Ａのバッテリ残量に関する情報を受信する。
【０１３１】
ステップＳ１６０３において、携帯端末Ｃのモード設定部４ｃは、ＵＳＢ通信部７ｃを通じて、携帯端末Ｃのバッテリ残量に関する情報を送信する。
【０１３２】
ステップＳ１６０４において、携帯端末ＢのＵＳＢ通信部１０７ｂは、携帯端末Ｃのバッテリ残量に関する情報を受信する。
【０１３３】
ステップＳ１６０５において、携帯端末Ｂのモード設定部４ｂは、受信した携帯端末Ａのバッテリ残量に関する情報と、図示しないメモリに記憶されている携帯端末Ｂのバッテリ残量に関する情報と、受信した携帯端末Ｃのバッテリ残量に関する情報とに基づいて、携帯端末Ａ、携帯端末Ｂ、および携帯端末Ｃのモードおよび電力伝送の送電元および受電先を決定する。
【０１３４】
ステップＳ１６０６において、ＵＳＢ通信部７ｂは、携帯端末Ａのモードおよび電力伝送の方法を表わす情報（つまり、電力伝送の相手と送電か受電かを表わす情報）を送信する。
【０１３５】
ステップＳ１６０７において、携帯端末ＡのＵＳＢ通信部７ａは、携帯端末Ａのモードおよび電力伝送の方法を表わす情報を受信する。
【０１３６】
ステップＳ１６０８において、ＵＳＢ通信部１０７ｂは、携帯端末Ｃのモードおよび電力伝送の方法を表わす情報を送信する。
【０１３７】
ステップＳ１６０９において、携帯端末ＣのＵＳＢ通信部７ｃは、携帯端末Ｃのモードおよび電力伝送の方法を表わす情報を受信する。
【０１３８】
ステップＳ１６１０において、携帯端末Ａのモード設定部４ａは、携帯端末ＡのモードをステップＳ１６０７で受信したモードに設定する。電力制御部３ａは、ステップＳ１６０７で受信した電力伝送の方法に従って、相手方に対して送電または受電を行なう。
【０１３９】
ステップＳ１６１１において、送電モードに設定されたときには、処理がステップＳ１６１２に進む。
【０１４０】
ステップＳ１６１２において、電力制御部３ａは、無線通信部２ａによる通信機能を制限し、アラームなどの割込みを制限し、かつ常駐のアプリケーションが動作しないように制御する。
【０１４１】
ステップＳ１６１３において、携帯端末Ｂのモード設定部４ｂは、携帯端末ＢのモードをステップＳ１６０５で決定したモードに設定する。電力制御部３ｂは、ステップＳ１６０５で決定した電力伝送の相手方に対して送電または受電を行なう。
【０１４２】
ステップＳ１６１４において、送電モードに設定されたときには、処理がステップＳ１６１５に進む。
【０１４３】
ステップＳ１６１５において、電力制御部３ｂは、無線通信部２ａによる通信機能を制限し、アラームなどの割込みを制限し、かつ常駐のアプリケーションが動作しないように制御する。
【０１４４】
ステップＳ１６１６において、携帯端末Ｃのモード設定部４ｃは、携帯端末ＣのモードをステップＳ１６０９で受信したモードに設定する。電力制御部３ｃは、ステップＳ１６０９で受信した電力伝送の方法に従って、相手方に対して送電または受電を行なう。
【０１４５】
ステップＳ１６１７において、送電モードに設定されたときには、処理がステップＳ１６１８に進む。
【０１４６】
ステップＳ１６１８において、電力制御部３ｃは、無線通信部２ｃによる通信機能を制限し、アラームなどの割込みを制限し、かつ常駐のアプリケーションが動作しないように制御する。
【０１４７】
図２０は、第１３の実施形態の電力伝送の流れ、およびモードの決定方法を示すフローチャートである。
【０１４８】
図２０を参照して、ステップＳ１８０１において、携帯端末Ａのバッテリ残量ＡＢｔが携帯端末Ｂのバッテリ残量ＢＢｔよりも多く、かつ携帯端末Ｂのバッテリ残量ＢＢｔが携帯端末Ｃのバッテリ残量ＣＢｔよりも多い場合には、処理がステップＳ１８０２に進む。
【０１４９】
ステップＳ１８０２において、モード設定部４ｂは、携帯端末Ｃを送電元、携帯端末Ｂを受電先に決定し、かつ携帯端末Ｂを送電元、携帯端末Ａを受電先に決定する。
【０１５０】
ステップＳ１８０３において、モード設定部４ｂは、携帯端末Ａを受電モードに決定し、携帯端末Ｂを送受電モードに設定し、携帯端末Ｃを送電モードに設定する。
【０１５１】
携帯端末Ａの電力制御部３ａは、スイッチ１０ａを受電部８ａと接続させ、受電部８ａに受電した電力をバッテリ３０ａに蓄積させる。携帯端末Ｂの電力制御部３ｂは、スイッチ１０ｂを受電部８ｂと接続させ、受電部８ｂに受電した電力をバッテリ３０ｂに蓄積させる。携帯端末Ｂの電力制御部３ｂは、スイッチ１１０ｂを受電部１０８ｂと接続させ、受電部１０８ｂに受電した電力をバッテリ３０ｂに蓄積させる。携帯端末Ｃの電力制御部３ｃは、スイッチ１０ｃを送電部９ｃと接続させ、送電部９ｃにバッテリ３０ｃに蓄積された電力を出力させる。
【０１５２】
ステップＳ１８０４において、携帯端末Ａのバッテリ残量ＡＢｔが携帯端末Ｂのバッテリ残量ＢＢｔよりも多く、かつ携帯端末Ｂのバッテリ残量ＢＢｔが携帯端末Ｃのバッテリ残量ＣＢｔよりも少ない場合には、処理がステップＳ１８０５に進む。
【０１５３】
ステップＳ１８０５において、モード設定部４ｂは、携帯端末Ｂを送電元、携帯端末Ｃを受電先に決定し、かつ携帯端末Ｂを送電元、携帯端末Ａを受電先に決定する。
【０１５４】
ステップＳ１８０６において、モード設定部４ｂは、携帯端末Ａを受電モードに決定し、携帯端末Ｂを送電モードに設定し、携帯端末Ｃを受電モードに設定する。
【０１５５】
携帯端末Ａの電力制御部３ａは、スイッチ１０ａを受電部８ａと接続させ、受電部８ａに受電した電力をバッテリ３０ａに蓄積させる。携帯端末Ｂの電力制御部３ｂは、スイッチ１０ｂを送電部９ｂと接続させ、送電部９ｂにバッテリ３０ｂに蓄積された電力を出力させる。携帯端末Ｃの電力制御部３ｃは、スイッチ１０ｃを受電部８ｃと接続させ、受電部８ｃで受電した電力をバッテリ３０ｃに蓄積させる。携帯端末Ｂの電力制御部３ｂは、スイッチ１１０ｂを送電部１０９ｂと接続させ、送電部１０９ｂにバッテリ３０ｂに蓄積された電力を出力させる。
【０１５６】
ステップＳ１８０７において、携帯端末Ａのバッテリ残量ＡＢｔが携帯端末Ｂのバッテリ残量ＢＢｔよりも少なく、かつ携帯端末Ｂのバッテリ残量ＢＢｔが携帯端末Ｃのバッテリ残量ＣＢｔよりも多い場合には、処理がステップＳ１８０８に進む。
【０１５７】
ステップＳ１８０８において、モード設定部４ｂは、携帯端末Ｃを送電元、携帯端末Ｂを受電先に決定し、かつ携帯端末Ａを送電元、携帯端末Ｂを受電先に決定する。
【０１５８】
ステップＳ１８０９において、モード設定部４ｂは、携帯端末Ａを送電モードに決定し、携帯端末Ｂを受電モードに設定し、携帯端末Ｃを送電モードに設定する。
【０１５９】
携帯端末Ａの電力制御部３ａは、スイッチ１０ａを送電部９ａと接続させ、送電部９ａにバッテリ３０ａに蓄積された電力を出力させる。携帯端末Ｂの電力制御部３ｂは、スイッチ１０ｂを受電部８ｂと接続させ、受電部８ｂに受電した電力をバッテリ３０ｂに蓄積させる。携帯端末Ｂの電力制御部３ｂは、スイッチ１１０ｂを受電部１０８ｂと接続させ、受電部１０８ｂに受電した電力をバッテリ３０ｂに蓄積させる。携帯端末Ｃの電力制御部３ｃは、スイッチ１０ｃを送電部９ｃと接続させ、送電部９ｃにバッテリ３０ｃに蓄積された電力を出力させる。
【０１６０】
ステップＳ１８１０において、携帯端末Ａのバッテリ残量ＡＢｔが携帯端末Ｂのバッテリ残量ＢＢｔよりも少なく、かつ携帯端末Ｂのバッテリ残量ＢＢｔが携帯端末Ｃのバッテリ残量ＣＢｔよりも少ない場合には、処理がステップＳ１８１１に進む。
【０１６１】
ステップＳ１８１１において、モード設定部４ｂは、携帯端末Ｂを送電元、携帯端末Ｃを受電先に決定し、かつ携帯端末Ａを送電元、携帯端末Ｂを受電先に決定する。
【０１６２】
ステップＳ１８１２において、モード設定部４ｂは、携帯端末Ａを送電モードに決定し、携帯端末Ｂを送受電モードに設定し、携帯端末Ｃを受電モードに設定する。
【０１６３】
携帯端末Ａの電力制御部３ａは、スイッチ１０ａを送電部９ａと接続させ、送電部９ａにバッテリ３０ａに蓄積された電力を出力させる。携帯端末Ｂの電力制御部３ｂは、スイッチ１０ｂを受電部８ｂと接続させ、受電部８ｂに受電した電力をバッテリ３０ｂに蓄積させる。携帯端末Ｃの電力制御部３ｃは、スイッチ１０ｃを受電部８ｃと接続させ、受電部８ｃで受電した電力をバッテリ３０ｃに蓄積させる。携帯端末Ｂの電力制御部３ｂは、スイッチ１１０ｂを送電部１０９ｂと接続させ、送電部１０９ｂにバッテリ３０ｂに蓄積された電力を出力させる。
【０１６４】
以上のように、本実施の形態では、３つの携帯端末間でも、それぞれの電池残量に応じた電力伝送を行なうことができる。
【０１６５】
（変形例）
本発明は、上記の実施形態に限定されるものではなく、たとえば以下のような変形例も含まれる。
【０１６６】
（１）電子機器
本発明の実施形態では、電子機器の一例としてスマートフォンやフィーチャーホンなどの携帯端末を例として説明したが、本発明の電子機器は、携帯端末に限定するものではなく、パソコンやタブレットなどのようなものも含まれる。
【０１６７】
（２）電力伝送
本実施の形態では、ＵＳＢインタフェースケーブルによって２つの携帯端末の間で電力が伝送されるものとしたが、これに限定するものではなく、２つの携帯端末間で非接触で電力が伝送されるものとしてもよい。
【０１６８】
（３）モードの変更
第１〜第７、第１１の実施形態において、複数の携帯端末間での使用状態に関する情報の交換、および複数の携帯端末の使用状態に基づくモードの設定は、一定周期ごとに行なうものとしてもよい。これによって、複数の携帯端末のモードを動的に変更することができる。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７０】
Ａ，Ｂ  スマートフォン、１ａ，１ｂ，１ｃ  アンテナ、２ａ，２ｂ，２ｃ  無線通信部、３ａ，３ｂ，３ｃ  電力制御部、４ａ，４ｂ，４ｃ  モード設定部、５ａ，５ｂ，５ｃ  入力部、６ａ，６ｂ，６ｃ  表示部、７ａ，７ｂ，７ｃ  ＵＳＢ通信部、８ａ，８ｂ，８ｃ  受電部、９ａ，９ｂ，９ｃ  送電部、１０ａ，１０ｂ，１０ｃ  スイッチ、３０ａ，３０ｂ，３０ｃ  バッテリ、５０ａ，５０ｂ  ＵＳＢインタフェースケーブル、Ｌ１ａ，Ｌ１ｂ  電力伝送線、Ｌ２ａ，Ｌ２ｂ  通信線。
【図１】
2015186223.tif 000003
【図２】
2015186223.tif 000004
【図３】
2015186223.tif 000005
【図４】
2015186223.tif 000006
【図５】
2015186223.tif 000007
【図６】
2015186223.tif 000008
【図７】
2015186223.tif 000009
【図８】
2015186223.tif 000010
【図９】
2015186223.tif 000011
【図１０】
2015186223.tif 000012
【図１１】
2015186223.tif 000013
【図１２】
2015186223.tif 000014
【図１３】
2015186223.tif 000015
【図１４】
2015186223.tif 000016
【図１５】
2015186223.tif 000017
【図１６】
2015186223.tif 000018
【図１７】
2015186223.tif 000019
【図１８】
2015186223.tif 000020
【図１９】
2015186223.tif 000021
【図２０】
2015186223.tif 000022